(57)【特許請求の範囲】
【請求項１】
複数のカムを同軸に取り付けて構成されたカムシャフトを誘導加熱するに当たり、
第１加熱コイルを移動することにより該第１加熱コイルを用いて誘導加熱する一つのカムに該第１加熱コイルを配置し、前記第１加熱コイルとは独立に第２加熱コイルを移動することにより該第２加熱コイルを用いて誘導加熱する一つのカムであって前記第１加熱コイルが配置される前記カムと隣り合うカムに該第２加熱コイルを配置することを順に繰り返す、誘導加熱方法。
【請求項２】
複数のカムを同軸に取り付けて構成されたカムシャフトを誘導加熱する誘導加熱装置であり、
前記複数のカムのうち一つのカムに配置される第１加熱コイルと、
前記複数のカムのうち前記第１加熱コイルが配置される一つのカムとは別のカムに配置される第２加熱コイルと、
前記第１加熱コイルを軸方向に移動する第１移動手段と、
前記第２加熱コイルを軸方向に移動する第２移動手段と、
を備え、
前記第１加熱コイルと前記第２加熱コイルとを互いに隣り合うカムに配置することを順に繰り返す誘導加熱装置。
【請求項３】
さらに、前記第１加熱コイルに接続された第１電流変成器と、前記第２加熱コイルに接続された第２電流変成器と、を備え、
前記第１移動手段が前記第１電流変成器及び前記第１加熱コイルを移動し、前記第２移動手段が前記第２電流変成器及び前記第２加熱コイルを移動する、
請求項２に記載の誘導加熱装置。
【請求項４】
さらに、前記第１電流変成器と前記第２電流変成器への接続を切り替える切替手段を備える、請求項３に記載の誘導加熱装置。
【請求項５】
前記第１電流変成器に高周波電力を出力する第１電力供給手段と、前記第２電流変成器に高周波電力を出力する第２電力供給手段と、を備える、請求項３に記載の誘導加熱装置。
【発明の詳細な説明】
【技術分野】
【０００１】
本発明は、複数のカムを同軸に取り付けたカムシャフトを誘導加熱するための誘導加熱方法及び装置に関する。
【背景技術】
【０００２】
従来、カムシャフトにおいて近接するカムの組に一つの加熱コイルを配置して誘導加熱している。特許文献１では、複数のカムブロックからなっていて各カムブロックが複数個のカムを有しているカムシャフトを高周波焼入れする際、カムシャフト毎に、複数個のカムに対応して配置される環状加熱コイルで、カムブロック毎に、カム部を誘導加熱している。
【先行技術文献】
【特許文献】
【０００３】
【特許文献１】特開２００２−９７５２２号公報
【発明の概要】
【発明が解決しようとする課題】
【０００４】
しかしながら、上述した誘導加熱方法を用いて、カムのピッチが異なる種類のカムシャフトを誘導加熱するには、ピッチに対応して加熱コイルを準備する必要がある。そして、誘導加熱作業において、加熱コイルを交換する必要がある。
【０００５】
また、一本のカムシャフトであってもカムのピッチが異なる場合には、ピッチに対応して加熱コイルを準備することが必要である。そして、一本のカムシャフトを誘導加熱する際に、ピッチが異なる毎に加熱コイルを交換する段取り替えが必要となる。
【０００６】
そこで、本発明では、ピッチが異なるカムを有する複数種類のカムシャフトやピッチが異なるカムを有する一本のカムシャフトを誘導加熱する誘導加熱方法及び装置を提供することを目的とする。
【課題を解決するための手段】
【０００７】
上記目的を達成するために、本発明では次のような手段を採用する。
［１］複数のカムを同軸に取り付けて構成されたカムシャフトを誘導加熱するに当たり、
第１加熱コイルを移動することにより、第１加熱コイルを用いて誘導加熱する一つのカムに該第１加熱コイルを配置し、前記第１加熱コイルとは独立に第２加熱コイルを移動することにより、第２加熱コイルを用いて誘導加熱する一つのカムであって前記第１加熱コイルが配置される前記カムと隣り合うカムに該第２加熱コイルを配置することを順に繰り返す、誘導加熱方法。
［２］複数のカムを同軸に取り付けて構成されたカムシャフトを誘導加熱する誘導加熱装置であり、
前記複数のカムのうち一つのカムに配置される第１加熱コイルと、
前記複数のカムのうち前記第１加熱コイルが配置される一つのカムとは別のカムに配置される第２加熱コイルと、
前記第１加熱コイルを軸方向に移動する第１移動手段と、
前記第２加熱コイルを軸方向に移動する第２移動手段と、
を備え、
前記第１加熱コイルと前記第２加熱コイルとを互いに隣り合うカムに配置することを順に繰り返す誘導加熱装置。
［３］さらに、前記第１加熱コイルに接続された第１電流変成器と、前記第２加熱コイルに接続された第２電流変成器と、を備え、
前記第１移動手段が前記第１電流変成器及び前記第１加熱コイルを移動し、前記第２移動手段が前記第２電流変成器及び前記第２加熱コイルを移動する、
前記［２］に記載の誘導加熱装置。
［４］さらに、前記第１電流変成器と前記第２電流変成器への接続を切り替える切替手段を備える、前記［３］に記載の誘導加熱装置。
［５］前記第１電流変成器に高周波電力を出力する第１電力供給手段と、前記第２電流変成器に高周波電力を出力する第２電力供給手段と、を備える、前記［３］に記載の誘導加熱装置。
【発明の効果】
【０００８】
本発明によれば、第１加熱コイルを移動することにより、第１加熱コイルを用いて誘導加熱するカムに第１加熱コイルを配置し、第２加熱コイルを移動することにより、第２加熱コイルを用いて誘導加熱するカムに第２加熱コイルを配置することを順に繰り返すので、カムのピッチが異なる複数種類のカムシャフトであっても、一本のカムシャフトでカムのピッチが異なっていても、第１加熱コイルと第２加熱コイルとをそれぞれ移動してカムのピッチに合わせることができる。
【図面の簡単な説明】
【０００９】
【図１】本発明の実施形態に係る誘導加熱装置の構成図である。
【図２】図１とは異なる電力供給形態を示す図である。
【発明を実施するための形態】
【００１０】
以下、図面を参照しながら本発明を実施するための形態について説明する。
【００１１】
図１は本発明の実施形態に係る誘導加熱装置の構成図である。本発明の実施形態に係る誘導加熱装置１０はカムシャフト１を誘導加熱するための装置であって、カムシャフト１が複数のカム２を同軸に取り付けて構成されている。
【００１２】
誘導加熱装置１０は、第１加熱コイル１１と、第２加熱コイル１２と、第１加熱コイル１１を移動する第１移動手段１３と、第２加熱コイル１２を移動する第２移動手段１４と、を備える。第１加熱コイル１１と第２加熱コイル１２は、それぞれ、一つのカム２の外周を取り囲むように環状を呈しており、複数のカム２のうち一つのカム２の位置に配置される。
【００１３】
さらに、この実施形態における誘導加熱装置１０では、第１加熱コイル１１に接続されて第１加熱コイル１１を支持する第１電流変成器１５と、第２加熱コイル１２に接続されて第２加熱コイル１２を支持する第２電流変成器１６と、を備える。第１移動手段１３が第１電流変成器１５をカムシャフト１の軸方向に移動することにより、第１加熱コイル１１が移動されて、第１加熱コイル１１を用いて誘導加熱する一つのカム２の位置に配置される。同様に、第２移動手段１４が第２電流変成器１６をカムシャフト１の軸方向に移動することにより、第２加熱コイル１２が移動されて、第２加熱コイル１２を用いて誘導加熱する一つのカム２の位置に配置される。
【００１４】
また、誘導加熱装置１０が第１電力供給手段１７と第２電力供給手段１８を備え、第１電力供給手段１７が第１電流変成器１５に高周波電力を出力して第１加熱コイル１１に電力を供給し、第２電力供給手段１８が第２電流変成器１６に高周波電力を出力して第２加熱コイル１２に電力を供給する。
【００１５】
図１に示すカムシャフト１のように、カム２のピッチが距離Ｌ１，Ｌ２，Ｌ３のように異なっていても、第１加熱コイル１１を第１移動手段１３によって移動し、第２加熱コイル１２を第２移動手段１４によって移動することにより、次に誘導加熱する各カム２に配置される。よって、第１加熱コイル１１と第２加熱コイル１２との距離をカム２のピッチに合わせることができる。つまり、カム２のピッチがカム間毎に異なっていても第１加熱コイル１１と第２加熱コイル１２の距離を可変して配置することができる。
【００１６】
以上のことから、本発明の実施形態に係る誘導加熱装置１０を用いて、カム２のピッチが異なる一本のカムシャフト１に対して次のように誘導加熱することができる。
すなわち、第１加熱コイル１１が一つのカム２を誘導加熱すると、第１移動手段１３が第１加熱コイル１１を次に加熱されるべき一つのカム２の位置に移動させる。第２加熱コイル１２が一つのカム２を誘導加熱すると、第２移動手段１４が第２加熱コイル１２を次に加熱されるべき一つのカム２の位置に移動させる。これらを繰り返せばよい。
【００１７】
また、カム２のピッチがカムシャフト１毎に異なっていても同一の誘導加熱装置１０を用いて誘導加熱することができる。
【００１８】
なお、一本のカムシャフト１を誘導加熱する一連の処理工程において、第１加熱コイル１１と第２加熱コイル１２とが同一のカム２に配置されることはなく、第１加熱コイル１１で誘導加熱されるカム２と第２加熱コイル１２で誘導加熱されるカム２とは区別されている。
【００１９】
第１電力供給手段１７から第１加熱コイル１１に電力を供給するタイミングと、第２電力供給手段１８から第２加熱コイル１２に電力を供給するタイミングは適宜設定することが出来、タイミングを合わせてもよいし、タイミングをずらしてもよい。
【００２０】
本発明の実施形態によれば、複数のカム２を同軸に取り付けたカムシャフト１を誘導加熱するに当たり、第１加熱コイル１１を用いて誘導加熱する一つのカム２の位置に第１加熱コイル１１を移動して配置し、第２加熱コイル１２を用いて誘導加熱する一つのカム２の位置に第２加熱コイル１２を移動して配置することを順に繰り返す。よって、カムシャフト１におけるカム２のピッチが一本のカムシャフト１で異なっていても、一台の誘導加熱装置１０を用いて誘導加熱することができる。
【００２１】
なお、一つのカム２に対して加熱コイル１１を配置して誘導加熱を行い、この加熱コイル１１を次のカム２の位置に移動することを繰り返すことも考えられる。しかし、これでは、カム２の数だけサイクルタイムが増加してしまう。一方、本発明の実施形態では、少なくとも２つの加熱コイルを用い、加熱コイル毎に移動手段を設け、移動手段により加熱コイルを独立に移動することができる構成を採用している。よって、サイクルタイムの増加を抑制することができる。
【００２２】
本発明の実施形態は、特許請求の範囲に記載した範囲内で適宜設計される。
例えば、図２に示すように、誘導加熱装置１０において、電力供給手段２０を一台とし、第１電流変成器１５及び第２電流変成器１６への電力供給手段２０からの出力を切り替える切替手段１９を設けてもよい。
【００２３】
図１において、第１移動手段１３は、第１電流変成器１５を収容するボックスに移動機構を設けることで実現でき、第２移動手段１４は、第２電流変成器１６を収容するボックスに移動機構を設けることで実現できる。
【００２４】
第１加熱コイル１１及び第２加熱コイル１２には焼入れ液を導入して噴射するように流路や噴射口を設け、誘導加熱のあと焼入れ液をカム２に噴射するよう構成してもよい。
【符号の説明】
【００２５】
１：カムシャフト
２：カム
１０：誘導加熱装置
１１：第１加熱コイル
１２：第２加熱コイル
１３：第１移動手段
１４：第２移動手段
１５：第１電流変成器
１６：第２電流変成器
１７：第１電力供給手段
１８：第２電力供給手段
１９：切替手段
２０：電力供給手段
【図１】
0006450546.tif 000002
【図２】
0006450546.tif 000003